(57)【要約】【課題】ＩＣ回路部とアンテナとを接続する接着構造体の接合強度を向上する。【解決手段】情報の送受信を行うアンテナ１５２Ａ，Ｂと、タグ情報を記憶するＩＣ回路部１５１とアンテナ１５２Ａ，Ｂとを接続する接続端子１５９Ａ，Ｂを備えＩＣ回路部１５１を保持する保護フィルム１６０とを有し、接続端子１５９Ａ，Ｂとアンテナ１５２Ａ，Ｂとを接合して構成された無線タグＩＣ回路保持体Ｈであって、保護フィルム１６０側又はアンテナ１５２Ａ，Ｂ側に、厚さ方向寸法が少なくとも一部欠損した厚さ欠損部として貫通孔１６０Ａや櫛形部１６０Ｐを設ける。【選択図】  図８
2006293551.tif 000002
【特許請求の範囲】
【請求項１】
情報の送受信を行うアンテナと、
タグ情報を記憶するＩＣ回路部とこのＩＣ回路部及び前記アンテナを接続する接続端子とを備え、前記ＩＣ回路部を保持するための保持部材とを有し、
前記保持部材の前記接続端子と前記アンテナとを接合して構成された無線タグＩＣ回路保持体であって、
前記保持部材側又は前記アンテナ側の少なくとも一方に、厚さ方向寸法が少なくとも一部欠損した厚さ欠損部を設けたことを特徴とする無線タグＩＣ回路保持体。
【請求項２】
請求項１記載の無線タグＩＣ回路保持体において、
前記厚さ欠損部は、前記保持部材の少なくとも前記接合側に設けた第１貫通孔又は第１凹部であることを特徴とする無線タグＩＣ回路保持体。
【請求項３】
請求項１記載の無線タグＩＣ回路保持体において、
前記厚さ欠損部は、前記保持部材の面方向端部を切り込むように設けた第１凹状部であることを特徴とする無線タグＩＣ回路保持体。
【請求項４】
請求項２又は３記載の無線タグＩＣ回路保持体において、
前記保持部材と前記アンテナとを接着するための接着剤を、前記第１貫通孔、第１凹部、第１凹状部のいずれかに入り込むように設けたことを特徴とする無線タグＩＣ回路保持体。
【請求項５】
請求項１記載の無線タグＩＣ回路保持体において、
前記厚さ欠損部は、前記アンテナの少なくとも前記接合側に設けた第２貫通孔又は第２凹部であることを特徴とする無線タグＩＣ回路保持体。
【請求項６】
請求項１記載の無線タグＩＣ回路保持体において、
前記厚さ欠損部は、前記アンテナの面方向端部を切り込むように設けた第２凹状部であることを特徴とする無線タグＩＣ回路保持体。
【請求項７】
請求項５又は６記載の無線タグＩＣ回路保持体において、
前記保持部材と前記アンテナとを接着するための接着剤を、前記第２貫通孔、第２凹部、第２凹状部のいずれかに入り込むように設けたことを特徴とする無線タグＩＣ回路保持体。
【請求項８】
請求項２又は５記載の無線タグＩＣ回路保持体において、前記第１貫通孔、第１凹部、第２貫通孔、第２凹部のいずれかは、その横断面形状が三角形以上の多角形であることを特徴とする無線タグＩＣ回路保持体。
【請求項９】
請求項２又は５記載の無線タグＩＣ回路保持体において、前記第１貫通孔、第１凹部、第２貫通孔、第２凹部のいずれかは、その内径側に、略鋸歯状領域を備えることを特徴とする無線タグＩＣ回路保持体。
【請求項１０】
請求項１乃至９のいずれか１項記載の無線タグＩＣ回路保持体において、
前記タグラベルを作成するために用いるタグテープに設けられることを特徴とする無線タグＩＣ回路保持体。
【請求項１１】
情報の送受信を行うアンテナと、タグ情報を記憶するＩＣ回路部とこのＩＣ回路部及び前記アンテナを接続する接続端子とを備え、前記ＩＣ回路部を保持するための保持部材とを有し、前記保持部材の前記接続端子と前記アンテナとを接合して構成された無線タグＩＣ回路保持体を、略帯状のテープ基材の長手方向に複数個配置したタグテープを巻回したタグテープロールであって、
前記タグテープに備えられた前記無線タグＩＣ回路保持体は、前記保持部材側又は前記アンテナ側の少なくとも一方に、厚さ方向寸法が少なくとも一部欠損した厚さ欠損部を設けたことを特徴とするタグテープロール。
【請求項１２】
情報の送受信を行うアンテナと、タグ情報を記憶するＩＣ回路部とこのＩＣ回路部及び前記アンテナを接続する接続端子とを備え、前記ＩＣ回路部を保持するための保持部材とを有し、前記保持部材の前記接続端子と前記アンテナとを接合して構成された無線タグＩＣ回路保持体を、略帯状のテープ基材の長手方向に複数個配置したタグテープを巻回したタグテープロールを収納し、
このタグテープロールから繰り出した前記タグテープを用いてタグラベルを作成するタグラベル作成装置に対し着脱可能に構成された無線タグカートリッジであって、
前記タグテープに備えられた前記無線タグＩＣ回路保持体は、前記保持部材側又は前記アンテナ側の少なくとも一方に、厚さ方向寸法が少なくとも一部欠損した厚さ欠損部を設けたことを特徴とする無線タグカートリッジ。
【発明の詳細な説明】
【技術分野】
【０００１】
本発明は、外部と情報の無線通信が可能な無線タグに係わり、特に、その無線タグに備えられる無線タグＩＣ回路保持体、これを用いたタグテープロール、及び無線タグカートリッジに関する。
【背景技術】
【０００２】
小型の無線タグとリーダ（読み取り装置）／ライタ（書き込み装置）との間で非接触で情報の読み取り／書き込みを行うＲＦＩＤ（Radio Frequency Identification）システムが知られている。例えばラベル状の無線タグに備えられた無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において実用が期待されている。
【０００３】
このような無線タグは、通常、ラベル状又はシート状の素材（基材）上に無線タグ回路素子を設けて形成されることが多い。この無線タグの構成としては、例えば特許文献１に記載のものが知られている。この従来技術では、１つのＩＣ回路部（ＩＣチップ）の両側に導電性接着剤（ＡＣＰ）を介し２つのアンテナ（微小導電性アンテナ）をそれぞれ接合している。そして、これら２つのアンテナ及びＩＣ回路部を備えた接着構造体を、基材上に実装している。
【特許文献１】特開２００３−８５５１３号公報（段落番号０００２、図２）
【発明の開示】
【発明が解決しようとする課題】
【０００４】
しかしながら、上記従来技術には以下の課題が存在する。すなわち、ＩＣ回路部とアンテナとを、それらの間に導電性接着剤を介在させることによって接合する際、ＩＣ回路部と導電性接着剤との接着部は単純な（平面的な）面接着構造であり、同様に導電性接着剤とアンテナとの接着部も同様の面接着構造である。このため、この導電性接着剤を用いた接着構造体のトータルの接合強度を大きく確保するのは困難であった。
【０００５】
本発明の目的は、ＩＣ回路部とアンテナとを接続する接着構造体の接合強度を向上することができる無線タグＩＣ回路保持体、タグテープロール、及び無線タグカートリッジを提供することにある。
【課題を解決するための手段】
【０００６】
上記目的を達成するために、第１の発明は、情報の送受信を行うアンテナと、タグ情報を記憶するＩＣ回路部とこのＩＣ回路部及び前記アンテナを接続する接続端子とを備え、前記ＩＣ回路部を保持するための保持部材とを有し、前記保持部材の前記接続端子と前記アンテナとを接合して構成された無線タグＩＣ回路保持体であって、前記保持部材側又は前記アンテナ側の少なくとも一方に、厚さ方向寸法が少なくとも一部欠損した厚さ欠損部を設けたことを特徴とする。
【０００７】
本願第１発明においては、保持部材側又はアンテナ側に厚さ欠損部が備えられている。これにより、ＩＣ回路部を保持する保持部材側の接続端子とアンテナ側との間を接着剤を用いて接着し接合する際に、当該接着剤を厚さ欠損部に入り込ませることで、保持部材の接続端子とアンテナとの平面形状どうしの間の単なる面接着構造に加え、当該厚さ欠損部に入り込んだ部分で立体的な接着構造を形成することができる。したがって、面接着構造のみで接着を行う場合に比べ、上記立体的な接着構造の強い接着力がある分、トータルの接合強度を向上することができる。
【０００８】
あるいは、同一強度を確保する場合に必要な面接着部分の接着面積を小さくすることもでき、この場合、保持部材の面方向大きさを小さくすることができるので、例えばテープ基材上に無線タグＩＣ回路保持体を配置しタグテープとするとき、テープの凹凸形状を緩和することができる。
【０００９】
第２発明は、上記第１発明において、前記厚さ欠損部は、前記保持部材の少なくとも前記接合側に設けた第１貫通孔又は第１凹部であることを特徴とする。
【００１０】
これにより、ＩＣ回路部を保持する保持部材側の接続端子とアンテナ側との間を接着する接着剤を例えば保持部材の第１貫通孔や第１凹部に入り込ませることで、それら第１貫通孔や第１凹部に入り込んだ部分で保持部材との立体的な接着構造を形成することができる。
【００１１】
第３発明は、上記第１発明において、前記厚さ欠損部は、前記保持部材の面方向端部を切り込むように設けた第１凹状部であることを特徴とする。
【００１２】
これにより、ＩＣ回路部を保持する保持部材側の接続端子とアンテナ側との間を接着する接着剤を例えば保持部材の第１凹状部に入り込ませることで、その入り込んだ部分で保持部材との立体的な接着構造を形成することができる。
【００１３】
第４発明は、上記第２又は第３発明において、前記保持部材と前記アンテナとを接着するための接着剤を、前記第１貫通孔、第１凹部、第１凹状部のいずれかに入り込むように設けたことを特徴とする。
【００１４】
第１貫通孔、第１凹部、第１凹状部のいずれかに入り込むように設けた接着剤で保持部材との立体的な接着構造を実現できるので、面接着構造のみで接着を行う場合に比べ、その立体的な接着構造の強い接着力がある分トータルの接合強度を向上することができる。
【００１５】
第５発明は、上記第１発明において、前記厚さ欠損部は、前記アンテナの少なくとも前記接合側に設けた第２貫通孔又は第２凹部であることを特徴とする。
【００１６】
これにより、ＩＣ回路部を保持する保持部材側の接続端子とアンテナ側との間を接着する接着剤を例えばアンテナの第２貫通孔や第２凹部に入り込ませることで、それら第２貫通孔や第２凹部に入り込んだ部分でアンテナとの立体的な接着構造を形成することができる。
【００１７】
第６発明は、上記第１発明において、前記厚さ欠損部は、前記アンテナの面方向端部を切り込むように設けた第２凹状部であることを特徴とする。
【００１８】
これにより、ＩＣ回路部を保持する保持部材側の接続端子とアンテナ側との間を接着する接着剤を例えばアンテナの第２凹状部に入り込ませることで、その入り込んだ部分でアンテナとの立体的な接着構造を形成することができる。
【００１９】
第７発明は、上記第５又は第６発明において、前記保持部材と前記アンテナとを接着するための接着剤を、前記第２貫通孔、第２凹部、第２凹状部のいずれかに入り込むように設けたことを特徴とする。
【００２０】
第２貫通孔、第２凹部、第２凹状部のいずれかに入り込むように設けた接着剤でアンテナとの立体的な接着構造を実現できるので、面接着構造のみで接着を行う場合に比べ、その立体的な接着構造の強い接着力がある分トータルの接合強度を向上することができる。
【００２１】
第８発明は、上記第２又は第５発明のいずれかにおいて、前記第１貫通孔、第１凹部、第２貫通孔、第２凹部のいずれかは、その横断面形状が三角形以上の多角形であることを特徴とする。
【００２２】
これにより、例えば接着剤をその多角形の頂点部分に入り込ませることで、さらに一層立体的で強固な接着構造を実現することが可能となる。表面張力により頂点部分により多くの接着剤が塗布される。
【００２３】
第９発明は、上記第２又は第５発明において、前記第１貫通孔、第１凹部、第２貫通孔、第２凹部のいずれかは、その内径側に、略鋸歯状領域を備えることを特徴とする。
【００２４】
これにより、例えば接着剤をその略鋸歯状領域の歯と歯の間に表面張力を利用してより多くの接着剤を入り込ませることで、さらに一層立体的で強固な接着構造を実現することが可能となる。
【００２５】
第１０発明は、上記第１乃至第９発明のいずれかにおいて、前記タグラベルを作成するために用いるタグテープに設けられることを特徴とする。
【００２６】
これにより、ＩＣ回路部やアンテナ等が強固に固定されたタグテープを実現し、これを用いて作成したタグラベルの信頼性を向上することができる。
【００２７】
上記目的を達成するために、第１１発明は、情報の送受信を行うアンテナと、タグ情報を記憶するＩＣ回路部とこのＩＣ回路部及び前記アンテナを接続する接続端子とを備え、前記ＩＣ回路部を保持するための保持部材とを有し、前記保持部材の前記接続端子と前記アンテナとを接合して構成された無線タグＩＣ回路保持体を、略帯状のテープ基材の長手方向に複数個配置したタグテープを巻回したタグテープロールであって、前記タグテープに備えられた前記無線タグＩＣ回路保持体は、前記保持部材側又は前記アンテナ側の少なくとも一方に、厚さ方向寸法が少なくとも一部欠損した厚さ欠損部を設けたことを特徴とする。
【００２８】
本願第１１発明のタグテープロールにおいては、巻回したタグテープに複数個配置した無線タグＩＣ回路保持体が、それぞれ、保持部材側又はアンテナ側に厚さ欠損部を備えている。これにより、ＩＣ回路部を保持する保持部材側の接続端子とアンテナ側との間を接着剤を用いて接着し接合する際に、当該接着剤を厚さ欠損部に入り込ませることで、保持部材と接続端子とアンテナとの平面形状どうしの間の単なる面接着構造に加え、当該厚さ欠損部に入り込んだ部分で立体的な接着構造を形成することができる。したがって、面接着構造のみで接着を行う場合に比べ、上記立体的な接着構造の強い接着力がある分、トータルの接合強度を向上することができる。この結果、ＩＣ回路部やアンテナ等が強固に固定されたタグテープ、及びこれを備えた丈夫なタグテープロールを実現し、さらにこれを用いて作成したタグラベルの信頼性を向上することができる。
【００２９】
あるいは、無線タグＩＣ回路保持体において、同一強度を確保する場合に必要な面接着部分の接着面積を小さくすることもでき、この場合、保持部材の面方向大きさを小さくすることができるので、テープ基材上に無線タグＩＣ回路保持体を配置してなるタグテープの凹凸形状を緩和することができる。この結果、ロールやスプールの径を小さくできる効果もある。
【００３０】
上記目的を達成するために、本願第１２発明は、情報の送受信を行うアンテナと、タグ情報を記憶するＩＣ回路部とこのＩＣ回路部及び前記アンテナを接続する接続端子とを備え、前記ＩＣ回路部を保持するための保持部材とを有し、前記保持部材の前記接続端子と前記アンテナとを接合して構成された無線タグＩＣ回路保持体を、略帯状のテープ基材の長手方向に複数個配置したタグテープを巻回したタグテープロールを収納し、このタグテープロールから繰り出した前記タグテープを用いてタグラベルを作成するタグラベル作成装置に対し着脱可能に構成された無線タグカートリッジであって、前記タグテープに備えられた前記無線タグＩＣ回路保持体は、前記保持部材側又は前記アンテナ側の少なくとも一方に、厚さ方向寸法が少なくとも一部欠損した厚さ欠損部を設けたことを特徴とする。
【００３１】
本願第１２発明の無線タグカートリッジにおいては、タグテープロールとして巻回されたタグテープに複数個配置した無線タグＩＣ回路保持体が、それぞれ、保持部材側又はアンテナ側に厚さ欠損部を備えている。これにより、ＩＣ回路部を保持する保持部材側の接続端子とアンテナ側との間を接着剤を用いて接着し接合する際に、当該接着剤を厚さ欠損部に入り込ませることで、保持部材の接続端子とアンテナとの平面形状どうしの間の単なる面接着構造に加え、当該厚さ欠損部に入り込んだ部分で立体的な接着構造を形成することができる。したがって、面接着構造のみで接着を行う場合に比べ、上記立体的な接着構造の強い接着力がある分、トータルの接合強度を向上することができる。この結果、ＩＣ回路部やアンテナ等が強固に固定されたタグテープを実現し、これを用いて作成したタグラベルの信頼性を向上することができる。
【００３２】
あるいは、無線タグＩＣ回路保持体において、同一強度を確保する場合に必要な面接着部分の接着面積を小さくすることもでき、この場合、保持部材の面方向大きさを小さくすることができるので、テープ基材上に無線タグＩＣ回路保持体を配置してなるタグテープの凹凸形状を緩和することができる。
【発明の効果】
【００３３】
本発明によれば、ＩＣ回路部とアンテナとを接続する接着構造体の接合強度を向上することができる。
【発明を実施するための最良の形態】
【００３４】
以下、本発明の一実施の形態を図面を参照しつつ説明する。この実施形態は、本発明を無線タグラベルの生成システムに適用した場合の実施形態である。
【００３５】
図１は、本実施形態の無線タグＩＣ回路保持体及びタグラベル作成装置用カートリッジを備えるタグラベル作成装置が適用される無線タグ生成システムを表すシステム構成図である。
【００３６】
図１に示すこの無線タグ生成システム１において、タグラベル作成装置（無線タグ情報通信装置)２は、有線あるいは無線による通信回線３を介してルートサーバ４、端末５、汎用コンピュータ６、及び複数の情報サーバ７に接続されている。
【００３７】
図２は、上記タグラベル作成装置２の詳細構造を表す概念的構成図である。
【００３８】
図２において、タグラベル作成装置２の装置本体８には、凹所としてのカートリッジホルダ部（図示せず）が設けられ、このホルダ部にカートリッジ１００が着脱可能に取り付けられている。
【００３９】
装置本体８は、カートリッジ１００を嵌合させる上記カートリッジホルダ部を備えるとともに外郭を構成する筐体９と、カバーフィルム１０３に所定の印字（印刷）を行う印字ヘッド（サーマルヘッド）１０と、カバーフィルム１０３への印字が終了したインクリボン１０５を駆動するリボン巻取りローラ駆動軸１１と、カバーフィルム（被印字テープ）１０３と帯状の基材テープ（タグテープ）１０１とを貼り合わせつつ印字済タグラベル用テープ１１０としてカートリッジ１００から繰り出すためのテープ送りローラ駆動軸１２と、印字済タグラベル用テープ１１０に備えられる無線タグ回路素子Ｔo（詳細は後述）との間でＵＨＦ帯等の高周波を用いて無線通信により信号の授受を行うアンテナ１４と、上記印字済タグラベル用テープ１１０を所定のタイミングで所定の長さに切断しラベル状の無線タグラベルＴ(詳細は後述)を生成するカッタ１５と、上記無線通信による信号授受時において無線タグ回路素子Ｔoをアンテナ１４に対向する所定のアクセスエリアに設定保持するとともに切断後の各無線タグラベルＴを案内するための一対の搬送ガイド１３と、その案内された無線タグラベルＴを搬出口（排出口）１６へと搬送し送出する送出ローラ１７と、搬出口１６における無線タグラベルＴの有無を検出するセンサ１８とを有している。
【００４０】
センサ１８は、例えば投光器及び受光器からなる反射型の光電センサである。投光器と受光器との間に無線タグラベルＴが存在しない場合には、その投光器から出力された光が受光器に入力される。一方、投光器と受光器との間に無線タグラベルＴが存在する場合には、投光器から出力された光が遮蔽されて受光器からの制御出力が反転させられるようになっている。
【００４１】
一方、装置本体８はまた、上記アンテナ１４を介し上記無線タグ回路素子Ｔoへアクセスする（読み取り又は書き込みを行う）ための高周波回路２１と、無線タグ回路素子Ｔoから読み出された信号を処理するための信号処理回路２２と、前述したリボン巻取りローラ駆動軸１１及びテープ送りローラ駆動軸１２を駆動するカートリッジ用モータ２３と、このカートリッジ用モータ２３の駆動を制御するカートリッジ駆動回路２４と、上記印字ヘッド１０への通電を制御する印刷駆動回路２５と、上記カッタ１５を駆動して切断動作を行わせるソレノイド２６と、そのソレノイド２６を制御するソレノイド駆動回路２７と、上記送出ローラ１７を駆動する送出ローラ用モータ２８と、この送出ローラ用モータ２８を制御する送出ローラ駆動回路２９と、上記高周波回路２１、信号処理回路２２、カートリッジ駆動回路２４、印刷駆動回路２５、ソレノイド駆動回路２７、送出ローラ駆動回路２９等を介し、タグラベル作成装置２全体の動作を制御するための制御回路３０とを有する。
【００４２】
制御回路３０は、いわゆるマイクロコンピュータであり、詳細な図示を省略するが、中央演算処理装置であるＣＰＵ、ＲＯＭ、及びＲＡＭ等から構成され、ＲＡＭの一時記憶機能を利用しつつＲＯＭに予め記憶されたプログラムに従って信号処理を行うようになっている。またこの制御回路３０は、入出力インターフェイス３１を介し例えば通信回線３に接続され、この通信回線３に接続された前述のルートサーバ４、他の端末５、汎用コンピュータ６、及び情報サーバ７等との間で情報のやりとりが可能となっている。
【００４３】
図３は、上記タグラベル作成装置２に備えられた本実施形態によるカートリッジ１００の詳細構造を説明するための説明図である。
【００４４】
この図３において、カートリッジ（無線タグカートリッジ）１００は、上記基材テープ１０１が巻回された第１ロール（タグテープロール）１０２と、上記基材テープ１０１と略同じ幅である透明な上記カバーフィルム１０３が巻回された第２ロール１０４と、上記インクリボン１０５（熱転写リボン、但しカバーフィルム１０３が感熱テープの場合は不要）を繰り出すリボン供給側ロール１１１と、印字後のインクリボン１０５を巻き取る上記リボン巻取りローラ１０６と、上記基材テープ１０１とカバーフィルム１０３とを押圧し接着させ上記印字済タグラベル用テープ１１０としつつ矢印Ａで示す方向にテープ送りをする圧着ローラ１０７とを有している。
【００４５】
第１ロール１０２は、リール部材１０２ａの周りに、長手方向に複数の無線タグ回路素子Ｔoが所定の等間隔で順次形成された上記基材テープ１０１を巻回している。
【００４６】
基材テープ１０１はこの例では４層構造となっており（図３中部分拡大図参照）、内側に巻かれる側（図３中右側）よりその反対側（図３中左側）へ向かって、適宜の粘着材からなる粘着層１０１ａ、ＰＥＴ（ポリエチレンテレフタラート）等から成る色付きのベースフィルム１０１ｂ、適宜の粘着材からなる粘着層１０１ｃ、剥離紙１０１ｄの順序で積層され構成されている。
【００４７】
ベースフィルム１０１ｂの裏側（図３中左側）には、情報の送受信を行うアンテナ（アンテナ部）１５２Ａ，１５２Ｂが一体的に設けられており、これに接続するように保持部材としての保護フィルム１６０（ＩＣ保護フィルム）が設けられている。保護フィルム１６０は、上記ＩＣ回路部１５１と、このＩＣ回路部１５１とアンテナ１５２Ａ，１５２Ｂとを接続する（例えば銀ペーストによってＩＣ回路部１５１の電極と接続された）接続端子１５９Ａ，１５９Ｂとを備えており、それらを略覆うように配置されている。このとき、上記接続端子１５９Ａ，１５９Ｂが接着剤層Ｊを介しアンテナ１５２Ａ，１５２Ｂの端部に接着されることによって、保護フィルム１６０はアンテナ１５２Ａ，１５２Ｂに接合されている。これらＩＣ回路部１５１及び接続端子１５９Ａ，１５９Ｂを備えた保護フィルム１６０と、アンテナ１５２Ａ，１５２Ｂと、接着剤層Ｊ等によって無線タグＩＣ回路保持体Ｈが構成されている。なお、ＩＣ回路部１５１とアンテナ１５２Ａ，１５２Ｂとによって無線タグ回路素子Ｔoが構成されている。
【００４８】
ベースフィルム１０１ｂの表側（図３中右側）には、後にカバーフィルム１０３を接着するための上記粘着層１０１ａが形成され、またベースフィルム１０１ｂの裏側（図３中左側）には、無線タグＩＣ回路保持体Ｈを内包するように設けた上記粘着層１０１ｃによって上記剥離紙１０１ｄがベースフィルム１０１ｂに接着されている。なお、この剥離紙１０１ｄは、最終的にラベル状に完成した無線タグラベルＴが所定の商品等に貼り付けられる際に、これを剥がすことで粘着層１０１ｃにより当該商品等に接着できるようにしたものである。
【００４９】
第２ロール１０４は、リール部材１０４ａの周りに上記カバーフィルム１０３を巻回している。カバーフィルム１０３は、その裏面側（すなわち上記基材テープ１０１と接着される側）に配置されたリボン供給側ロール１１１及びリボン巻取りローラ１０６で駆動されるインクリボン１０５が、上記印字ヘッド１０に押圧されることで当該カバーフィルム１０３の裏面に当接させられるようになっている。
【００５０】
リボン巻取りローラ１０６及び圧着ローラ１０７は、それぞれカートリッジ１００外に設けた例えばパルスモータである上記カートリッジ用モータ２３（前述の図２参照）の駆動力が上記リボン巻取りローラ駆動軸１１及び上記テープ送りローラ駆動軸１２に伝達されることによって回転駆動される。
【００５１】
上記構成のカートリッジ１００において、上記第１ロール１０２より繰り出された基材テープ１０１は、圧着ローラ１０７へと供給される。一方、第２ロール１０４より繰り出されるカバーフィルム１０３は、上述したようにその裏面にインクリボン１０５が当接させられるようになっている。
【００５２】
そして、カートリッジ１００が上記装置本体８のカートリッジホルダ部に装着されロールホルダ（図示せず）が離反位置から当接位置に移動されると、カバーフィルム１０３及びインクリボン１０５が印字ヘッド１０とプラテンローラ１０８との間に狭持されるとともに、基材テープ１０１及びカバーフィルム１０３が圧着ローラ１０７とサブローラ１０９との間に狭持される。そして、カートリッジ用モータ２３の駆動力によってリボン巻取りローラ１０６及び圧着ローラ１０７が矢印Ｂ及び矢印Ｄで示す方向にそれぞれ同期して回転駆動される。このとき、前述のテープ送りローラ駆動軸１２と上記サブローラ１０９及びプラテンローラ１０８はギヤ（図示せず）にて連結されており、テープ送りローラ駆動軸１２の駆動に伴い圧着ローラ１０７、サブローラ１０９、及びプラテンローラ１０８が回転し、第１ロール１０２から４層構造の基材テープ１０１が繰り出され、上述のように圧着ローラ１０７へ供給される。一方、第２ロール１０４からはカバーフィルム１０３が繰り出されるとともに、上記印刷駆動回路２５により印字ヘッド１０の複数の発熱素子が通電される。この結果、カバーフィルム１０３の裏面（＝粘着層１０１ａ側の面）に所定の文字、記号、バーコード等の印字Ｒ（後述の図１２参照）が印刷（但し裏面から印刷するので印刷側から見て鏡面対称の文字等を印刷している）される。そして、上記４層構造の基材テープ１０１と上記印刷が終了したカバーフィルム１０３とが上記圧着ローラ１０７及びサブローラ１０９により接着されて一体化され、印字済タグラベル用テープ１１０として形成され、カートリッジ１００外へと搬出される。なお、カバーフィルム１０３への印字が終了したインクリボン１０５は、リボン巻取りローラ駆動軸１１の駆動によりリボン巻取りローラ１０６に巻取られる。
【００５３】
図４は、上記高周波回路２１の詳細機能を表す機能ブロック図である。この図４において、高周波回路２１は、アンテナ１４を介し無線タグ回路素子Ｔoに対して信号を送信する送信部３２と、アンテナ１４により受信された無線タグ回路素子Ｔoからの反射波を入力する受信部３３と、送受分離器３４とから構成される。
【００５４】
送信部３２は、無線タグ回路素子ＴoのＩＣ回路部１５１の無線タグ情報にアクセスする(読み取り又は書き込みを行う)ための搬送波を発生させる水晶振動子３５、ＰＬＬ(Phase
Locked Loop)３６、及びＶＣＯ（Voltage Controlled Oscillator）３７と、上記信号処理回路２２から供給される信号に基づいて上記発生させられた搬送波を変調（この例では信号処理回路２２からの「ＴＸ＿ＡＳＫ」信号に基づく振幅変調）する送信乗算回路３８（但し振幅変調の場合は増幅率可変アンプ等を用いてもよい）と、その送信乗算回路３８により変調された変調波を増幅する送信アンプ３９とを備えている。そして、上記発生される搬送波は、好適にはＵＨＦ帯やマイクロ波帯の周波数を用いており、上記送信アンプ３９の出力は、送受分離器３４を介してアンテナ１４に伝達されて無線タグ回路素子ＴoのＩＣ回路部１５１に供給される。
【００５５】
受信部３３は、アンテナ１４により受信された無線タグ回路素子Ｔoからの反射波と上記発生させられた搬送波とを掛け合わせる受信第１乗算回路４０と、その受信第１乗算回路４０の出力から必要な帯域の信号のみを取り出すための第１バンドパスフィルタ４１と、この第１バンドパスフィルタ４１の出力を増幅する受信第１アンプ４３と、この受信第１アンプ４３の出力をさらに増幅してデジタル信号に変換する第１リミッタ４２と、上記アンテナ１４により受信された無線タグ回路素子Ｔoからの反射波と上記発生された後に移相器４９で位相が９０°ずらされた搬送波とを掛け合わせる受信第２乗算回路４４と、その受信第２乗算回路４４の出力から必要な帯域の信号のみを取り出すための第２バンドパスフィルタ４５と、この第２バンドパスフィルタ４５の出力を増幅する受信第２アンプ４７と、この受信第２アンプ４７の出力をさらに増幅してデジタル信号に変換する第２リミッタ４６と備えている。そして、上記第１リミッタ４２から出力される信号「ＲＸＳ−Ｉ」及び第２リミッタ４６から出力される信号「ＲＸＳ−Ｑ」は、上記信号処理回路２２に入力されて処理される。
【００５６】
また、受信第１アンプ４３及び受信第２アンプ４７の出力は、ＲＳＳＩ（Received  Signal  Strength  Indicator)回路４８にも入力され、それらの信号の強度を示す信号「ＲＳＳＩ」が信号処理回路２２に入力されるようになっている。このようにして、本実施形態に係るタグラベル作成装置２では、Ｉ−Ｑ直交復調によって無線タグ回路素子Ｔoからの反射波の復調が行われる。
【００５７】
図５は、上記した第１ロール１０２のより詳細な構造を表す概念的側面図である。前述したように、第１ロール１０２に巻回された基材テープ１０１は、その長手方向に無線タグ回路素子Ｔoを備えた複数の無線タグＩＣ回路保持体Ｈが例えば等間隔で順次形成されている。
【００５８】
図６は、上記第１ロール１０１に巻回された基材テープ１０１に備えられた上記無線タグＩＣ回路保持体Ｈ及びその周辺部の詳細構造を表す、図３の部分拡大図中VI−VI′断面による矢視断面図である。また図７は、図６中Ａ部を抽出して示す部分拡大上面図であり、図８は、図７中VIII−VIII′断面による側断面図である。
【００５９】
これら図６、図７、及び図８において、上記ＩＣ回路部１５１、上記接続端子１５９Ａ，１５９Ｂ、及びアンテナ１５２Ａ，１５２Ｂの上記接続端部１５２ａ，１５２ｂを略覆うように配設された上記保護フィルム１６０と、上記保護フィルム１６０内に備えられたＩＣ回路部１５１と接続される側に複数の接続端部１５２ａ，１５２ｂをそれぞれ備え情報の送受信を行う２つの上記アンテナ１５２Ａ，１５２Ｂと、上記ＩＣ回路部１５１と、このＩＣ回路部１５１と２つの接続端部１５２ａ，１５２ｂとをそれぞれ接続するために保護フィルム１６０内に備えられ、上記接続端子１５９Ａ，１５９Ｂと、上記２つの接続端部１５２ａ，１５２ｂと接続端子１５９Ａ，１５９Ｂとを接着する接着剤層Ｊとが設けられている。言い換えれば、保護フィルム１６０は、接続端子１５９Ａ，１５９Ｂを介して、アンテナ１５２Ａ，１５２Ｂと接合されている。
【００６０】
保護フィルム１６０は、厚さ方向寸法が少なくとも一部欠損した厚さ欠損部（この例では貫通孔）１６０Ａを備えている。なお厚さ方向全寸法が欠損した貫通孔でなくても、少なくとも上記接合側（図８中下方側）の一部が欠損した有底の穴等の凹部（第１凹部）であってもよい。また貫通孔（第１貫通孔）１６０Ａの断面形状は図示のように略円形でもよいが、楕円・長円・スリット形状等でもよいし、さらに他の形状でもよい（後述の変形例参照）。また上記接続端子１５９Ａ，１５９Ｂには、上記貫通孔１６０Ａに連通する貫通孔１５９Ａａ，１５９Ｂａがそれぞれ設けられている。そして保護フィルム１６０の貫通孔１６０Ａの下部には、上記接着剤層Ｊのうちの一部Ｊａが上記接続端子１５９Ａ，１５９Ｂの貫通孔１５９Ａａ，１５９Ｂａを介しその壁面に沿って入り込むように設けられている。
【００６１】
図９は、図８に示した無線タグＩＣ回路保持体Ｈを構成するための製造手順の一例を表す説明図である。図９において、この例では、ベースフィルム１０１ｂ上の所定位置にアンテナ１５２Ａ，１５２Ｂを配置する。一方、あらかじめ所定の位置にＩＣ回路部１５１及びこれに接続するように接続端子１５９Ａ，１５９Ｂ（貫通孔１５９Ａａ，１５９Ｂａを備える）を取り付け、その下部に未固化状態の所定の接着剤（例えば熱可塑性樹脂）による接着剤層Ｊoを形成し、かつ貫通孔１６０Ａを形成した保護フィルム１６０を、図中白矢印のように上記アンテナ１５２の接続端部１５２ａ，１５２ｂに対し図中上方から押圧しつつ密着させる。この押圧により、保護フィルム１６０に備えられる接続端子１５９Ａ，１５９Ｂと上記アンテナ接続端部１５２ａ，１５２ｂとの間に位置する上記接着剤層Ｊoの大部分が比較的薄く平面状に広がって前述の接着剤層Ｊを形成するとともに、接着剤層Ｊoの一部は（上記貫通孔１５９Ａａ，１５９Ａｂを介し）上記貫通孔１６０Ａの中に図中下部から進入し、貫通孔１６０Ａ内で上記一部の接着剤層Ｊａを形成する。
【００６２】
図１０は、図８に示した無線タグＩＣ回路保持体Ｈを構成するための製造手順の他の例を表す説明図である。図１０において、この例はアンテナ１５２Ａ，１５２Ｂ側に接着剤を設けておく手法である。すなわち、ベースフィルム１０１ｂ上の所定位置に配置したアンテナ１５２Ａ，１５２Ｂの接続端部１５２ａ，１５２ｂに未固化状態の所定の接着剤による接着剤層Ｊoを形成する。一方、あらかじめ所定の位置にＩＣ回路部１５１及びこれに接続するように接続端子１５９Ａ，１５９Ｂ（貫通孔１５９Ａａ，１５９Ｂａを備える）を取り付け、かつ貫通孔１６０Ａを形成した保護フィルム１６０を、図中白矢印のように上記保護フィルム１６０下部の接着剤層Ｊoを接続端子１５９Ａ，１５９Ｂに対し図中上方から押圧しつつ密着させる。この押圧により（好適には図中矢印で示すように貫通孔１６０Ａの径方向外側より径方向内側へ向かうように若干斜めに押圧力を作用させることにより）、上記同様、比較的薄く平面状に広がった接着剤層Ｊが形成されるるとともに、接着剤層Ｊoの一部が（上記貫通孔１５９Ａａ，１５９Ａｂを介し）上記貫通孔１６０Ａの中に図中下部から進入し、貫通孔１６０Ａ内で上記一部の接着剤層Ｊａを形成することができる。
【００６３】
図１１は、上記無線タグ回路素子Ｔoの機能的構成を表す機能ブロック図である。この図１１において、無線タグ回路素子Ｔoは、タグラベル作成装置２側のアンテナ１４とＵＨＦ帯等の高周波を用いて非接触で信号の送受信を行う上記アンテナ１５２と、このアンテナ１５２に接続された上記ＩＣ回路部１５１とを有している。
【００６４】
ＩＣ回路部１５１は、アンテナ１５２により受信された搬送波を整流する整流部１５３と、この整流部１５３により整流された搬送波のエネルギを蓄積しＩＣ回路部１５１の駆動電源とするための電源部１５４と、上記アンテナ１５２により受信された搬送波からクロック信号を抽出して制御部１５５に供給するクロック抽出部１５６と、所定の情報信号を記憶し得る情報記憶手段として機能するメモリ部１５７と、上記アンテナ１５２に接続された変復調部１５８と、上記整流部１５３、クロック抽出部１５６、及び変復調部１５８等を介して上記無線タグ回路素子Ｔoの作動を制御するための上記制御部１５５とを備えている。
【００６５】
変復調部１５８は、アンテナ１５２により受信された上記タグラベル作成装置２のアンテナ１４からの通信信号の復調を行うと共に、上記制御部１５５からの応答信号に基づき、アンテナ１５２より受信された搬送波を変調反射する。
【００６６】
制御部１５５は、上記変復調部１５８により復調された受信信号を解釈し、上記メモリ部１５７において記憶された情報信号に基づいて返信信号を生成し、上記変復調部１５８により返信する制御等の基本的な制御を実行する。
【００６７】
図１２（ａ）及び図１２（ｂ）は、上述のようにして無線タグ回路素子Ｔoの情報読み取り（又は書き込み）及び印字済タグラベル用テープ１１０の切断が完了し形成された無線タグラベルＴの外観の一例を表す図であり、図１２（ａ）は上面図、図１２（ｂ）は下面図である。また図１３は、図１２中XIII−XIII′断面(前述の図６においてはxiii−xiii′断面に相当)による横断面図であり、図１４は、図１２中XIV−XIV′断面(前述の図６においてはxiv−xiv′断面に相当)による横断面図である。
【００６８】
これら図１２（ａ）、図１２（ｂ）、図１３、及び図１４において、無線タグラベルＴは、図３に示した４層構造にカバーフィルム１０３が加わった５層構造となっており、カバーフィルム１０３側（図１３及び図１４中上側）よりその反対側（図１３及び図１４中下側）へ向かって、カバーフィルム１０３、粘着層１０１ａ、ベースフィルム１０１ｂ、粘着層１０１ｃ、剥離紙１０１ｄで５層を構成している。そして、前述のようにベースフィルム１０１ｂの裏側に設けられたアンテナ１５２とこれに接着剤層Ｊを介し接合された保護フィルム１６０とが粘着層１０１ｃ内に備えられるとともに、カバーフィルム１０３の裏面に印字Ｒ（この例では無線タグラベルＴの種類を示す「ＲＦ−ＩＤ」の文字）が印刷されている。
【００６９】
図１５は、上述したようなタグラベル作成装置２による無線タグ回路素子ＴoのＩＣ回路部１５１の無線タグ情報へのアクセス(読み取り又は書き込み)に際して、上記した端末５又は汎用コンピュータ６に表示される画面の一例を表す図である。
【００７０】
図１５において、この例では、タグラベル種別、無線タグ回路素子Ｔoに対応して印刷された印字文字Ｒ、その無線タグ回路素子Ｔoに固有のＩＤであるアクセス（読み取り又は書き込み）ＩＤ、上記情報サーバ７に記憶された物品情報のアドレス、及び上記ルートサーバ４におけるそれらの対応情報の格納先アドレス等が前記端末５又は汎用コンピュータ６に表示可能となっている。そして、タグ作成時に、その端末５又は汎用コンピュータ６の操作によりタグラベル作成装置２が作動されて、カバーフィルム１０３に上記印字文字Ｒが印刷されると共に、ＩＣ回路部１５１に予め記憶された上記読み取りＩＤ及び物品情報等の無線タグ情報が読みとられる（又はＩＣ回路部１５１に上記書き込みＩＤ及び物品情報等の情報が書き込まれる）。
【００７１】
なお、上記においては、印刷動作に伴い搬送ガイド１３を移動中の印字済タグラベル用テープ１１０に対してアクセスエリア内に保持してアクセス（読み取り又は書き込み）するようにした例を示したが、これに限られず、その印字済タグラベル用テープ１１０を所定位置で停止させて搬送ガイド１３にて保持した状態で上記アクセスを行うようにしてもよい。
【００７２】
また、上記のような読み取り又は書き込みの際、生成された無線タグラベルＴのＩＤとその無線タグラベルＴのＩＣ回路部１５１から読みとられた情報（又はＩＣ回路部１５１に書き込まれた情報）との対応関係は、前述のルートサーバ４に記憶され、必要に応じて参照できるようになっている。
【００７３】
上記のように構成した本実施形態のタグラベル作成装置２においては、カートリッジ１００から印刷済みタグラベル用テープ１１０として取り出され搬送ガイド１３によってアンテナ１４に対向する所定位置(アクセスエリア)に設定保持された無線タグ回路素子Ｔoに対し、順次アクセス(ＩＣ回路部１５１の無線タグ情報の読み取り又はＩＣ回路部１５１への書き込み)が行われ、カッタ１５により各無線タグＩＣ回路保持体Ｈごとに切断されて無線タグラベルＴが生成される。生成された無線タグラベルＴは、ユーザによって上記剥離紙１０１ｄが剥がされて粘着層１０１ｃが露出された後、この粘着層１０１ｃを介し対象となる各種物品等に貼り付けられ使用される。
【００７４】
ここで本実施形態の無線タグＩＣ回路保持体Ｈでは、ＩＣ回路部１５１を保持する保護フィルム１６０に厚さ欠損部としての貫通孔１６０Ａが備えられている。そして、アンテナ１５２Ａ，１５２Ｂと保護フィルム１６０に備えられた接続端子１５９Ａ，１５９Ｂとの間を接着剤で接着する際に、接着剤層Ｊの一部Ｊａを貫通孔１６０Ａに入り込ませる。この結果、保護フィルム１６０とアンテナ１５２Ａ，１５２Ｂの平面形状どうしの間の単なる面接着構造（接着剤層Ｊの大部分）に加え、当該貫通孔１６０Ａに入り込んだ上記一部の接着剤層Ｊａで立体的な接着構造を形成することができる。したがって、面接着構造のみで接着を行う場合に比べ、上記立体的な接着構造の強い接着力がある分、トータルの接合強度を向上することができる。
【００７５】
あるいは、同一強度を確保する場合に必要な面接着部分（接着剤層Ｊの大部分）の接着面積を小さくすることもでき、この場合、保護フィルム１６０の面方向大きさを小さくすることができる。特に本実施形態では、無線タグＩＣ回路保持体Ｈを配置した基材テープ１０１の凹凸形状を緩和することができるとともに、ＩＣ回路部１５１やアンテナ１５２Ａ，１５２Ｂ等が強固に固定された基材テープ１０１を実現できるので、これを用いて作成した無線タグラベルＴの信頼性を向上することができる。
【００７６】
なお、本発明は、上記実施形態に限られるものではなく、その趣旨及び技術的思想を逸脱しない範囲内で、種々の変形が可能である。以下、そのような変形例を説明する。
【００７７】
（１）貫通孔（又は凹部）の断面形状のバリエーション
図１６は、この変形例における無線タグＩＣ回路保持体及びその周辺部の詳細構造を表す部分拡大上面図であり、上記実施形態の図７に相当する図である。図７と同等の部分には同一の符号を付し、適宜説明を省略する。
【００７８】
図１６では、上記実施形態における横断面形状略円形の貫通孔１６０Ａに代え、横断面形状略多角形（この例では八角形。三角形以上の他の多角形形状でもよい）の貫通孔１６０Ａを設け、この貫通孔１６０Ａの下部に、上記接着剤層Ｊのうちの一部Ｊａがその壁面に沿って入り込むように設けられている。
【００７９】
本変形例によれば、接着剤層Ｊａの形成時に、表面張力によって多角形の頂点部分により多くの接着剤を入り込ませ塗布できるので、さらに一層立体的で強固な接着構造を実現できる効果がある。また、略多角形形状にも限られず、貫通孔１６０Ａの内径側に略鋸歯状の領域（図示省略）を設けてもよい。この場合も上記同様、接着剤層Ｊａの形成時に、表面張力によって略鋸歯状領域の歯と歯の間により多くの接着剤を入り込ませ、さらに一層立体的で強固な接着構造を実現できる効果がある。
【００８０】
なお、上記実施形態において前述したように、貫通孔１６０Ａに限られず、有底の穴（凹部）の断面形状を上記のように略多角形形状や鋸歯状としてもよい。さらに、すべてを同一の貫通孔や凹部とせず、それらを組み合わせても良い（形状、大きさ、深さ等を異ならせてもよい）。これらの変形例においても、上記実施形態と同様の効果を得る。
【００８１】
（２）保護フィルム端部に切り込みを設けた場合
図１７は、この変形例における無線タグＩＣ回路保持体及びその周辺部の詳細構造を表す部分拡大上面図であり、上記実施形態の図７に相当する図である。また図１８は、図１７中XVIII−XVIII′断面による横断面図であり、上記実施形態の図８に相当する図である。上記図７や図８等と同等の部分には同一の符号を付し、適宜説明を省略する。
【００８２】
図１７及び図１８において、この変形例では、上記実施形態や上記（１）の変形例の貫通孔１６０Ａ等に代え、欠損部として、保護フィルム１６０の面方向端部（この例では長手方向端部）を切り込むように櫛形部（第１凹状部）１６０Ｐが設けられている。そして、この櫛形部１６０Ｐの下部に、上記接着剤層Ｊのうちの一部Ｊｐが（接続端子１５９Ａ，１５９Ｂの面方向端部である長手方向端部に設けた櫛形部１５９Ａｐ，１５９Ｂｐを介し）その壁面に沿って入り込むように設けられている。
【００８３】
本変形例によっても、上記実施形態と同様の効果を得る。すなわち、アンテナ１５２Ａ，１５２Ｂと保護フィルム１６０に一体的に備えられた接続端子１５９Ａ，１５９Ｂとの間を接着剤で接着する際に、接着剤層Ｊの一部Ｊｐを（櫛形部１５９Ａｐ，１５９Ｂｐを介し）櫛形部１６０Ｐに入り込ませることで、この一部の接着剤層Ｊｐで立体的な接着構造を形成することができる。したがって、面接着構造のみで接着を行う場合に比べ、上記立体的な接着構造の強い接着力がある分、トータルの接合強度を向上することができる。
【００８４】
（３）アンテナに欠損部を設けた場合
図１９は、この変形例における無線タグＩＣ回路保持体及びその周辺部の詳細構造を表す部分拡大側断面図であり、上記実施形態の図８に相当する図である。上記図８と同等の部分には同一の符号を付し、適宜説明を省略する。
【００８５】
図１９において、この変形例では、上記実施形態や上記（１）（２）の変形例のように保護フィルム１６０及び接続端子１５９Ａ，１５９Ｂに貫通孔１６０Ａ及び貫通孔１５９Ａａ，１５９Ｂａや櫛形部１６０Ｐ及び櫛形部１５９Ａｐ，１５９Ｂｐ等の欠損部を設けるに代え、アンテナ１５２Ａ，１５２Ｂを貫通するように連通する貫通孔１５２Ｘ，１５２Ｙを設けている。そして、貫通孔１５２Ｘ，１５２Ｙの上部に、上記接着剤層Ｊのうちの一部Ｊｂがその壁面に沿って入り込むように設けられている。
【００８６】
本変形例によっても、上記実施形態と同様の効果を得る。すなわち、アンテナ１５２Ａ，１５２Ｂと保護フィルム１６０に備えられる接続端子１５９Ａ，１５９Ｂとの間を接着剤で接着する際に、接着剤層Ｊの一部Ｊｂを貫通孔１５２Ｘ，１５２Ｙ等に入り込ませることで、この一部の接着剤層Ｊｂで立体的な接着構造を形成することができる。したがって、面接着構造のみで接着を行う場合に比べ、上記立体的な接着構造の強い接着力がある分、トータルの接合強度を向上することができる。
【００８７】
なお、以上の変形例においても、前述したように、貫通孔や凹部の横断面形状を略多角形形状や鋸歯状としてもよいし、すべてを同一の貫通孔や凹部とせず、それらを組み合わせても良い（形状、大きさ、深さ等を異ならせてもよい）。
【００８８】
（４）その他
以上においては、カートリッジ１００の内部を移動中の基材テープ１０１に対して無線タグ情報の書き込み・読み取りや印字を行う例を示したが、これに限られず、基材テープ１０１等を所定位置で停止させて（さらに読み取り・書き込みについては所定の搬送ガイドにて保持した状態としてもよい）上記印字や読み取り・書き込みを行うようにしてもよい。
【００８９】
さらに、以上において、長手方向に複数の無線タグ回路素子Ｔoが順次形成された基材テープ１０１を第１ロール１０２に巻き回したカートリッジ１００を用いたが、これに限られず、それぞれに１つの無線タグ回路素子Ｔoが形成された平紙状の複数のラベル素材を、平積み方向に積層して収納するトレイ部材（いわゆるスタックタイプのもの）を無線タグ回路素子収納部として用いてもよい。
【００９０】
また、以上において、カートリッジ１００のような無線タグ情報通信装置本体側に着脱可能なものに限られず、装置本体側に着脱不能のいわゆる据え付け型あるいは一体型のものを用い、その中に上記第１ロール１０２を設けてもよい。この場合も同様の効果を得る。
【００９１】
また、以上において、印字及び無線タグ回路素子Ｔoへのアクセス（読み取り又は書き込み）の終了した印字済みタグラベル用テープ１１０をカッタ１５で切断してタグラベルＴを作成した場合を例にとって説明したが、これに限られない。すなわち、ラベルに対応した所定の大きさに予め分離されたラベル台紙（いわゆるダイカットラベル）がロールから繰り出されるテープ上に連続配置されているような場合には、カッタ１５で切断しなくても、テープが排出口１６から排出されてきた後にラベル台紙（アクセス済みの無線タグ回路素子Ｔoが備えられかつ対応する印字がなされたもの）のみをテープから剥がしてタグラベルＴを作成しても良く、本発明はこのようなものに対しても適用できる。
【００９２】
また、以上においては、無線タグ回路素子Ｔoを備えた基材テープ１０１とは別のカバーフィルム１０３に印字を行ってこれらを貼り合わせる方式であったが、これに限られず、タグテープに備えられたカバーフィルムに印字を行う方式（貼りあわせを行わないタイプ）に本発明を適用してもよい。さらに、無線タグ回路素子ＴoのＩＣ回路部１５１から無線タグ情報の読み出し又は書き込みを行うと共に、印字ヘッド１０によってその無線タグ回路素子Ｔoを識別するための印刷を行うものにも限られない。この印刷は必ずしも行われなくともよく、無線タグ情報の読み出し又は書き込みのみを行うものに対し本発明を適用することもできる。
【００９３】
なお、以上で用いた「Scroll
ID」信号、「Ping」信号、「Erase」信号、「Verify」信号、「Program」信号等は、ＥＰＣ  ｇｌｏｂａｌが策定した仕様に準拠しているものとする。ＥＰＣ  ｇｌｏｂａｌは、流通コードの国際機関である国際ＥＡＮ協会と、米国の流通コード機関であるＵｎｉｆｏｒｍｅｄ  Ｃｏｄｅ  Ｃｏｕｎｃｉｌ（ＵＣＣ）が共同で設立した非営利法人である。なお、他の規格に準拠した信号でも、同様の機能を果たすものであればよい。
【００９４】
また、以上既に述べた以外にも、上記実施形態や各変形例による手法を適宜組み合わせて利用しても良い。
【００９５】
その他、一々例示はしないが、本発明は、その趣旨を逸脱しない範囲内において、種々の変更が加えられて実施されるものである。
【図面の簡単な説明】
【００９６】
【図１】本発明の一実施形態の無線タグＩＣ回路保持体及びタグラベル作成装置用カートリッジを備えるタグラベル作成装置が適用される無線タグ生成システムを表すシステム構成図である。
【図２】図１に示したタグラベル作成装置の詳細構造を表す概念的構成図である。
【図３】図１に示したタグラベル作成装置に備えられた本発明の一実施形態によるカートリッジの詳細構造を説明するための説明図である。
【図４】図２に示した高周波回路の詳細機能を表す機能ブロック図である。
【図５】図３に示した第１ロールのより詳細な構造を表す概念的側面図である。
【図６】無線タグＩＣ回路保持体及びその周辺部の詳細構造を表す、図３の部分拡大図中VI−VI′断面による矢視断面図である。
【図７】図６中Ａ部を抽出して示す部分拡大上面図である。
【図８】図７中VIII−VIII′断面による側断面図である。
【図９】図８に示した無線タグＩＣ回路保持体を構成するための製造手順の一例を表す説明図である。
【図１０】図８に示した無線タグＩＣ回路保持体Ｈを構成するための製造手順の他の例を表す説明図である。
【図１１】無線タグ回路素子の機能的構成を表す機能ブロック図である。
【図１２】無線タグラベルの外観の一例を表す上面図及び下面図である。
【図１３】図１２中XIII−XIII′断面による横断面図である。
【図１４】図１２中XIV−XIV′断面による横断面図である。
【図１５】無線タグ回路素子のＩＣ回路部の無線タグ情報へのアクセスに際して、端末又は汎用コンピュータに表示される画面の一例を表す図である。
【図１６】異なる貫通孔断面形状を備えた変形例における無線タグＩＣ回路保持体及びその周辺部の詳細構造を表す部分拡大上面図である。
【図１７】保護フィルム端部に切り込みを設けた変形例における無線タグＩＣ回路保持体及びその周辺部の詳細構造を表す部分拡大上面図である。
【図１８】図１７中XVIII−XVIII′断面による横断面図である。
【図１９】アンテナに欠損部を設けた変形例における無線タグＩＣ回路保持体及びその周辺部の詳細構造を表す部分拡大側断面図である。
【符号の説明】
【００９７】
２          タグラベル作成装置
１００      カートリッジ（無線タグカートリッジ）
１０１      基材テープ（タグテープ）
１０２      第１ロール（タグテープロール）
１５１      ＩＣ回路部
１５２Ａ    アンテナ
１５２ａ    接続端部
１５２Ｂ    アンテナ
１５２ｂ    接続端部
１５２Ｘ    貫通孔（第３貫通孔）
１５２Ｙ    貫通孔（第３貫通孔）
１５９Ａ    接続端子
１５９Ｂ    接続端子
１６０      保護フィルム（保持部材）
１６０Ａ    貫通孔（第１貫通孔、厚さ欠損部）
１６０Ｐ    櫛形部（第１凹状部、厚さ欠損部）
Ｈ          無線タグＩＣ回路保持体
Ｊ          接着剤層
Ｊａ        一部の接着剤層
Ｊｂ        一部の接着剤層
Ｊｐ        一部の接着剤層
Ｔ          無線タグラベル（タグラベル）
【図１】
2006293551.tif 000003
【図２】
2006293551.tif 000004
【図３】
2006293551.tif 000005
【図４】
2006293551.tif 000006
【図５】
2006293551.tif 000007
【図６】
2006293551.tif 000008
【図７】
2006293551.tif 000009
【図８】
2006293551.tif 000010
【図９】
2006293551.tif 000011
【図１０】
2006293551.tif 000012
【図１１】
2006293551.tif 000013
【図１２】
2006293551.tif 000014
【図１３】
2006293551.tif 000015
【図１４】
2006293551.tif 000016
【図１５】
2006293551.tif 000017
【図１６】
2006293551.tif 000018
【図１７】
2006293551.tif 000019
【図１８】
2006293551.tif 000020
【図１９】
2006293551.tif 000021